【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
ほぼ平坦に広げた状態に配置された使い捨ての吸収性物品であって、
吸収性の芯、長手方向前側縁部、及び前記長手方向前側縁部と対向する長手方向後側縁部を備えた中央本体を含み、前記中央本体の前記前側及び後側縁部は、少なくとも部分的に前側及び後側ウエスト部分をそれぞれ画定し、前記前側及び後側縁部を横切る長手方向中央線により特徴づけられ；且つ
該吸収性の芯が、
複数の山部及び複数の谷部を含む波面状基材であって、各該山部及び谷部が機械方向又は前記前側及び後側縁部に向かって延伸し；
該波面状基材と連結した平面基材；ならびに
該波面状基材と該平面基材との間に配置された超吸収性ポリマー；を含み、
該波面状基材の設置面積が平面基材の設置面積と実質的に同一であり；
該波面状基材の表面積が該平面基材の表面積より大きい、使い捨ての吸収性物品。
【請求項２】
前記超吸収性ポリマーが前記波面状基材又は平面基材のうち少なくとも１つに接着剤により接着される、請求項１に記載の使い捨ての吸収性物品。
【請求項３】
前記超吸収性ポリマーが前記波面状基材又は平面基材のうち少なくとも１つに結合剤により接合される、請求項１に記載の使い捨ての吸収性物品。
【請求項４】
前記吸収性の芯と連結された捕捉層をさらに含む、請求項１に記載の使い捨ての吸収性物品。
【請求項５】
前記捕捉層と連結され、前記捕捉層と前記吸収性の芯との間に配置される分配層をさらに含む、請求項４に記載の使い捨ての吸収性物品。
【請求項６】
前記波面状基材が薄葉紙を含む、請求項１に記載の使い捨ての吸収性物品。
【請求項７】
前記平面基材が薄葉紙を含む、請求項６に記載の使い捨ての吸収性物品。
【請求項８】
前記波面状基材が不織布を含む、請求項１に記載の使い捨ての吸収性物品。
【請求項９】
前記平面基材が不織布を含む、請求項８に記載の使い捨ての吸収性物品。
【請求項１０】
前記中央本体とは別個に配置され長手方向に延在し、前記中央本体の長手方向対向側部に隣接し、前記使い捨ての吸収性物品着用時に使用者の脚周りを取り囲むのに十分な長さを有する、一対の伸縮性サイドパネルをさらに含み、前記サイドパネルはそれぞれ、前側短手方向縁部、前記前側短手方向縁部に対向する後側短手方向縁部、少なくとも前記中央本体と重なる延在部分を有する近位長手方向辺縁部、遠位長手方向辺縁部、ならびに使用者による前記使い捨ての吸収性物品の着用時に前記中央本体の前記前側及び後側ウエスト部分を止着するための少なくとも１つの止着部分を有し；
該サイドパネルの該遠位長手方向辺縁部は該サイドパネルの長さに沿って相互にほぼ平行であり；
各伸縮性サイドパネルは伸縮性要素を含み、該伸縮性要素が、前記長手方向中央線とほぼ平行である、前記サイドパネルに対する伸長方向を規定し；
前記伸縮性要素は前記中央本体の対応する前記前側又は後側短手方向縁部を越えて長手方向に延在し、前記サイドパネルの前記前側短手方向縁部は、前記中央本体の前記後側ウエスト部分よりも前記中央本体の前記前側ウエスト部分に近い位置に配置され；
前記サイドパネルはそれぞれ、前記中央本体の対応する前記前側又は後側短手方向縁部を越えて長手方向に延在する前記サイドパネルにより形成される前側又は後側止着部分を含み、前記前側又は後側止着部分は、使用者による前記使い捨ての吸収性物品の着用時に前記中央本体の前記前側及び後側ウエスト部分を止着するように構成され；
前記止着部分はそれぞれ、前記中央本体上の第２止着要素と係合するように適合された第１止着要素を備え、該第１止着要素は該止着部分内に配置され、前記中央本体の短手方向前側又は後側縁部を越えて長手方向に配置されて、該止着要素が該中央本体と重ならない該止着部分内の区間に位置するようになり、且つ前記止着要素が伸縮性サイドパネルと長手方向に一列に並び；
該吸収性物品を広げてほぼ平坦な状態にしたとき、前記中央本体、伸縮性サイドパネル及び止着部分はすべて単一面上にあり、
該止着部分は該使い捨ての吸収性物品と一体化しているか、又は該使い捨ての吸収性物品に恒久的に固着したものであり；
該使い捨ての物品の着用時に前記サイドパネルは、使用者の脚に係合するのに十分な伸縮性を長手方向に沿って付与するために、前記サイドパネルの伸縮性要素が前記サイドパネルの前記長さに沿って配置され；且つ
前記付与される伸縮性の度合いは脚の前側から後側にかけて徐々に増大し、着用時に少なくとも前記前側ウエスト部分に張力が付与されるように前記伸縮性上昇が構成される、
請求項１に記載の使い捨ての吸収性物品。
【請求項１１】
前記サイドパネルが、前記サイドパネルの前記前側短手方向縁部と前記伸縮性要素との間に長手方向に配置された実質的に伸縮性のない止着部分をさらに含む、請求項１０に記載の使い捨ての吸収性物品。
【請求項１２】
前記波面状基材が前記平面基材と連結し、該波面状基材の表面積が該波面状基材の設置面積の表面積の１．２倍よりも大きい、請求項１に記載の使い捨ての吸収性物品。
【請求項１３】
前記伸縮性領域が、前記使い捨ての吸収性物品の着用時に使用者の脚周りを取り囲む前記長さの前記部分に沿って変化する張力勾配を形成する、請求項１０に記載の使い捨ての吸収性物品。
【請求項１４】
前記サイドパネルの前記長さに沿って長手方向の伸縮性を付与するためにそれに沿って配置された伸縮性要素が複数のエラストマーストランドを具備し、且つ該伸縮性領域が、
ａ）各領域当たり少なくとも１つのエラストマーストランドの存在、及びｂ）サイドパネルの最前部領域より最後部領域で数が多くなるサイドパネル内エラストマーストランドによって画定される、請求項１３に記載の使い捨ての吸収性物品。
【請求項１５】
最前部領域と最後部領域との間の１つ以上の中間サイドパネル領域を含み、各中間領域は、前部から後部にかけて、前の領域よりも多くの数のエラストマーストランドを有する、請求項１４に記載の使い捨ての吸収性物品。
【請求項１６】
前記サイドパネルの伸縮性が前記サイドパネルの前記前側縁部から前記サイドパネルの前記後側縁部にかけて徐々に高くなるように前記伸縮性要素が配置される、請求項１０に記載の使い捨ての吸収性物品。
【請求項１７】
前記サイドパネルの最も伸縮性の高い領域が前記サイドパネルの前記後側縁部付近に設けられるように前記伸縮性要素が配置される、請求項１０に記載の使い捨ての吸収性物品。
【請求項１８】
前記最も伸縮性の高い領域が前記中央本体の前記後側縁部に隣接する、請求項１７に記載の使い捨ての吸収性物品。
【請求項１９】
該波面状基材の表面積が、該平面基材の表面積の１．５倍より大きい、請求項１に記載の使い捨ての吸収性物品。
【請求項２０】
該波面状基材の表面積が、該波面状基材の設置面積の表面積の２倍より大きい、請求項１に記載の使い捨ての吸収性物品。
【請求項２１】
該波面状基材の表面積が、該波面状基材の設置面積の表面積の５倍より大きい、請求項１に記載の使い捨ての吸収性物品。
【請求項２２】
該山部と該谷部が、該芯の長さに沿って延伸する、請求項１に記載の使い捨ての吸収性物品。
【請求項２３】
該山部と該谷部が、機械方向に延伸する、請求項１に記載の使い捨ての吸収性物品。
【請求項２４】
該山部及び該谷部が全体として吸収性物品の長手方向中央線に平行に延伸する、請求項１に記載の使い捨ての吸収性物品。
【請求項２５】
該山部及び該谷部が使い捨て吸収物品の前側縁部から使い捨て吸収物品の後側縁部に延在する、請求項１に記載の使い捨ての吸収性物品。
【請求項２６】
各複数の該谷部が２つの山部の間に位置し、かつ長手方向に延在する、請求項２５に記載の使い捨ての吸収性物品。
【請求項２７】
該ＳＡＰは、波面状基材の谷部分内に配置される、請求項１に記載の使い捨ての吸収性物品。
【請求項２８】
前記波面状基材がテンションを施されている、請求項１に記載の使い捨ての吸収性物品。
【請求項２９】
接着剤が該波面状基材に塗布され、該平面状基材が該波面状基材に結合されている、請求項１に記載の使い捨ての吸収性物品。
【請求項３０】
該平面状基材が該波面状基材に積層される、請求項１に記載の使い捨ての吸収性物品。
【請求項３１】
使い捨ての吸収性物品であって、
吸収性の芯、長手方向前側縁部、及び前記長手方向前側縁部と対向する長手方向後側縁部を備えた中央本体を含み、前記中央本体の前記前側及び後側縁部は、少なくとも部分的に前側及び後側ウエスト部分をそれぞれ画定し、前記前側及び後側縁部を横切る長手方向中央線により特徴づけられ；
該吸収性の芯が、
該吸収性の芯の上面から見て該芯に沿って走る複数の山部及び複数の谷部を含む波面状基材；
該波面状基材と連結した材料層；ならびに
該波面状基材と該材料層との間に配置された超吸収性ポリマー；を含み、
該波面状基材の表面積が該平面基材の設置面積の表面積より少なくとも１．２倍大きい、使い捨ての吸収性物品。
【請求項３２】
該山部と該谷部が長手方向に前側及び後側縁部に延在し、ＳＡＰは、波面状基材の谷部内に配置され、かつ、該波面状基材の表面積が、該設置面積の表面積の１．５倍より大きい、請求項３１に記載の使い捨ての吸収性物品。
【請求項３３】
該山部及び谷部が該芯の一方の長手方向縁部から他方の長手方向縁部に延在し、かつ前記ＳＡＰは該波面状基材に接着され前記該波面状の谷部に設置される、請求項３２に記載の使い捨ての吸収性物品。